(57)【要約】【課題】本発明は既存の住宅に制振装置を取り付ける際の手間及びコストを削減することを課題とする。【解決手段】制振装置１０は、柱２２の上方の傾動を伝達する上部伝達部材２８と、柱２２の下方の傾動を伝達する下部伝達部材３０と、上部伝達部材２８と下部伝達部材３０との間に設けられた油圧ダンパ３２と、上部伝達部材２８を柱２２の上部側面に取り付ける上部ブラケット３４と、下部伝達部材３０を柱２２の下部側面に取り付ける下部ブラケット３６と、柱２２の上部側面に固定され上部ブラケット３４を支持する上部固定板４２と、柱２２の下部側面に固定され下部ブラケット３６を支持する下部固定板４４と、を備えてなる。よって、制振装置１０を設置した後は、新しい天井板２０や床板１６を取り付ける必要がなく、その分設置作業に手間がかからず、設置コストも安価に抑えられる。【選択図】      図１
2004218226.tif 000002
【特許請求の範囲】
【請求項１】
構造物の柱間に設けられ、前記柱の上方の傾動を伝達する上部伝達部材と、
前記構造物の柱間に設けられ、前記柱の下方の傾動を伝達する下部伝達部材と、
前記上部伝達部材と前記下部伝達部材との間に設けられ、前記上部伝達部材と前記下部伝達部材との相対変位を緩衝するダンパと、
前記構造物の上梁から離間した柱間に横架され、前記上部伝達部材を前記柱の上部側面に取り付ける上部取付部材と、
前記構造物の下梁から離間した柱間に横架され、前記下部伝達部材を前記柱の下部側面に取り付ける下部取付部材と、
を備えたことを特徴とする制振装置。
【請求項２】
前記上部取付部材及び前記下部取付部材は、両端部を前記柱の側面に沿うように延在形成された固定板に固定されることを特徴とする請求項１記載の制振装置。
【請求項３】
前記上部取付部材は、
前記上部伝達部材の上端に沿うように前記柱間に横架される水平支持部と、
前記柱間に横架され、前記水平支持部に沿って延在し、前記上部伝達部材の上端に結合される垂直支持部と、
前記水平支持部の両端より前記柱の側面に沿うように延在され、前記柱の側面に固定される固定部と、
を備えたことを特徴とする請求項１記載の制振装置。
【請求項４】
前記下部取付部材は、
前記下部伝達部材の下端に沿うように前記柱間に横架される水平支持部と、
前記柱間に横架され、前記水平支持部に沿って延在し、前記下部伝達部材の下端に結合される垂直支持部と、
前記水平支持部の両端より前記柱の側面に沿うように延在され、前記柱の側面に固定される固定部と、
を備えたことを特徴とする請求項１記載の制振装置。
【請求項５】
前記取付部材は、前記水平支持部から前記梁側に突出して前記梁に当接する高さ位置規制部を有することを特徴とする請求項３または４記載の制振装置。
【請求項６】
前記請求項１記載の制振装置の取付方法において、
前記柱間の内部空間を塞ぐ内壁面を除去する第１の過程と、
前記柱の側面に沿うように延在形成された固定板を固定する第２の過程と、
前記制振装置を前記内部空間に挿入し、前記上部取付部材及び前記下部取付部材を前記固定板に固定する第３の過程と、
前記柱間の内部空間を閉塞する壁板を前記柱に固定する第４の過程と、
を実行することを特徴とする制振装置の取付方法。
【発明の詳細な説明】
【０００１】
【発明の属する技術分野】
本発明は、ダンパの減衰動作により構造物の振動エネルギを吸収するよう構成された制振装置及びその取付方法に関する。
【０００２】
【従来の技術】
従来の制振装置としては、例えば、構造物の梁に固定される上部伝達部材と床側の基礎に固定される下部伝達部材との間に油圧ダンパが取り付けられており、油圧ダンパのシリンダ端部及びピストンロッド端部が水平方向の振動を伝える上部伝達部材又は下部伝達部材に連結されたものがある。また、この制振装置は、住宅の壁内に油圧ダンパを収納させており、油圧ダンパを露出させないように構成されている（特許文献１を参照）。
【０００３】
上記のように構成された制振装置においては、構造物に水平方向の振動が入力されると、構造物の横揺れに伴って上部伝達部材と下部伝達部材との間で相対変位が生じる。これにより、油圧ダンパでは、作動油が充填されたシリンダ内をピストンが摺動して作動油の粘性抵抗による減衰力を発生する。そして、構造物の振動は、油圧ダンパの減衰動作により緩衝されて振幅が抑制される。
【０００４】
【特許文献１】特開２００２−１０６２０４号公報
【０００５】
【発明が解決しようとする課題】
上記従来の制振装置では、住宅の壁部の内部に収納する構成であるので、住宅を新築する際に上部伝達部材、下部伝達部材、油圧ダンパを壁内に設置する工事を行った後に壁板材を打ち付けていた。
【０００６】
ところで、上記のような新築以外の住宅にも制振装置を取り付けることが検討されている。既に建築されてから数年が経過した既存の住宅においては、構造物外観の見栄えを損なわないで耐震性を向上させるのに、制振装置を室内側から取り付けることが望まれており、しかも、できる限り低コストでその工事を行いたいという要望がある。
【０００７】
上記のような従来の制振装置を、室内側から設置する場合には、壁面、天井板及び床板を外し、上梁及び下梁を露出させて設置する必要がある。この場合、特に設置後に天井板及び床板を元に戻すことは難しく、例えば、建築後、十数年が経過した場合には、同じ材料の天井板及び床板が無かったり、見つかったとしても経時変化による変色などが生じている。
【０００８】
そのため、制振装置を設置した後に天井板を取り付けると、新しい天井板は他の天井板（数年が経過して変色している）と色が異なっているので、その取付部分だけが新しくなって見栄えが悪くなってしまう。また、全ての天井板を新しいものに交換すると、工事費が高価になってしまい、予算をオーバする等してしまう。
【０００９】
また、同様に制振装置を設置する場所の壁板を新しく取り付けると、その壁板部分だけが新しいので、やはり見栄えが悪くなってしまう。この場合、新しい壁板の前にタンスなどの家具を置くことで、新しい壁板及び床板を隠すことができるものの天井板まで隠すことができない。
【００１０】
そこで、本発明は上記課題を解決した制振装置及びその取付方法を提供することを目的とする。
【００１１】
【課題を解決するための手段】
上記課題を解決するため、本発明は以下のような特徴を有する。
上記請求項１の発明は、構造物の柱間に設けられ、柱の上方の傾動を伝達する上部伝達部材と、構造物の柱間に設けられ、柱の下方の傾動を伝達する下部伝達部材と、上部伝達部材と下部伝達部材との間に設けられ、上部伝達部材と下部伝達部材との相対変位を緩衝するダンパと、構造物の上梁から離間した柱間に横架され、上部伝達部材を柱の上部側面に取り付ける上部取付部材と、構造物の下梁から離間した柱間に横架され、下部伝達部材を柱の下部側面に取り付ける下部取付部材と、を備えたものであり、床板及び天井板を剥がすことなく壁内にダンパを取り付けることが可能になる。
【００１２】
上記請求項２の発明は、上部取付部材及び下部取付部材の、両端部を柱の側面に沿うように延在形成された固定板に固定したものであり、工場などで上部伝達部材、下部伝達部材、ダンパが組み付けられた組立体を容易に取り付けることが可能になり、取付作業に要する時間を短縮する。
【００１３】
上記請求項３の発明は、上部取付部材が、上部伝達部材の上端に沿うように柱間に横架される水平支持部と、柱間に横架され、水平支持部に沿って延在し、上部伝達部材の上端に結合される垂直支持部と、水平支持部の両端より柱の側面に沿うように延在され、柱の側面に固定される固定部と、を備えたものであり、上部伝達部材を柱の上部側面に固定することが可能になる。
【００１４】
上記請求項４の発明は、下部取付部材が、下部伝達部材の下端に沿うように柱間に横架される水平支持部と、柱間に横架され、水平支持部に沿って延在し、下部伝達部材の下端に結合される垂直支持部と、水平支持部の両端より柱の側面に沿うように延在され、柱の側面に固定される固定部と、を備えたものであり、下部伝達部材を柱の下部側面に固定することが可能になる。
【００１５】
上記請求項５の発明は、取付部材が、水平支持部から前記梁側に突出して梁に当接する高さ位置規制部を有するものであり、取付部材を下梁よりも所定距離上方に位置し、上梁よりも所定距離下方に位置するように位置合わせすることが可能になる。
【００１６】
上記請求項６の発明は、請求項１記載の制振装置の取付方法において、柱間の内部空間を塞ぐ内壁面を除去する第１の過程と、柱の側面に沿うように延在形成された固定板を固定する第２の過程と、制振装置を内部空間に挿入し、上部取付部材及び下部取付部材を固定板に固定する第３の過程と、柱間の内部空間を閉塞する壁板を柱に固定する第４の過程と、を実行するものであり、床板及び天井板を剥がすことなく壁内にダンパを取り付けることが可能になる。
【００１７】
【発明の実施の形態】
以下、添付図面を参照して本発明の実施の形態を詳細に説明する。
図１は本発明になる制振装置の一実施例の取り付け状態を示す斜視図である。図２は図１に示す制振装置の正面図である。図３は図２中Ａ−Ａ線に沿う縦断面図である。図４は図２中Ｂ−Ｂ線に沿う横断面図である。尚、図１乃至図４において、外壁及び化粧板を省略してある。
【００１８】
図１乃至図４に示されるように、制振装置１０は、構造物の基礎１２に横架された下梁１４の上方に位置する床板１６と、２階床を支持するように横架された上梁１８より下方に位置する天井板２０との間に取り付けられている。また、制振装置１０は、構造物としては、例えば、既に建設された木造住宅などに取り付けられる。
【００１９】
下梁１４と上梁１８との間には、複数の柱２２が所定間隔毎に起立している。この一対の柱２２間とにより形成された壁内が制振装置１０を取り付けるための空間となる。床板１６は、下梁１４の上面に横架された角材２４に取り付けられている。天井板２０は、上梁１８の下面に固定された複数の支柱２６に取り付けられている。従って、制振装置１０は、床板１６と天井板２０と一対の柱２２との間に形成された空間２７内に取り付けられる。
【００２０】
制振装置１０は、柱２２の上方の傾動を伝達する上部伝達部材２８と、柱２２の下方の傾動を伝達する下部伝達部材３０と、上部伝達部材２８と下部伝達部材３０との間に設けられた油圧ダンパ（緩衝部材）３２と、上梁１８から離間した高さ位置で柱２２間に横架され、上部伝達部材２８を柱２２の上部側面に取り付ける上部ブラケット（上部取付部材）３４と、下梁１４から離間した高さ位置で柱２２間に横架され、下部伝達部材３０を柱２２の下部側面に取り付ける下部ブラケット（下部取付部材）３６と、柱２２の上部側面に固定され上部ブラケット３４を支持する上部固定板４２と、柱２２の下部側面に固定され下部ブラケット３６を支持する下部固定板４４と、を備えてなる。
【００２１】
上部伝達部材２８及び下部伝達部材３０は、木製合板からなり、設置すべき住宅の空間の大きさ、すなわち柱２２間の水平距離（幅寸法Ｌａ）及び床板１６から天井板２０までの垂直距離（高さ寸法Ｌｂ）に応じた寸法、形状に形成されている。
【００２２】
また、油圧ダンパ３２は、シリンダ３２ａと、シリンダ３２ａ内を摺動するピストン（図示せず）と、ピストンに連結されたピストンロッド３２ｂとから構成されており、シリンダ３２ａ内部には作動油が充填されている。
【００２３】
そして、油圧ダンパ３２のシリンダ３２ａの端部は、上部伝達部材２８の下端に固定されたダンパ用ブラケット３８により回動可能に支持されている。また、ピストンロッド３２ｂの端部は、下部伝達部材３０の上端に固定されたダンパ用ブラケット４０により回動可能に支持されている。ダンパ用ブラケット３８及び４０は、金属製であり、水平方向の荷重に耐えられるように形成されている。
【００２４】
そのため、下梁１４に地震による振動が伝播して柱２２が傾動し、上部伝達部材２８と下部伝達部材３０との間で水平方向の相対変位が生じると、油圧ダンパ３２では、シリンダ３２ａに対してピストン及びピストンロッド３２ｂが摺動して抵抗力を発生させる。これにより、下梁１４と上梁１８との相対変位の加速度が減速され、当該住宅（構造物）の振動が制振される。
【００２５】
上部伝達部材２８、下部伝達部材３０、油圧ダンパ３２は、工場において、予め組み立てられた組立体（アッシー）として当該住宅がある現地へ輸送される。
【００２６】
上部固定板４２及び下部固定板４４は、釘やボルトなどの締結部材により柱２２の側面に固定される固定部４２ａ，４４ａと、固定部４２ａ，４４ａより水平方向に突出する当接部４２ｂ，４４ｂとを有する。この上部固定板４２及び下部固定板４４は、制振装置１０の荷重を支えるため、及び油圧ダンパ３２の抵抗力を柱２２の長手方向に分散作用させて柱２２への応力集中を防止するため、固定部４２ａ，４４ａが柱２２の側面に沿って延在形成されており、多数の締結部材により強固に固定される。
【００２７】
また、上部固定板４２の上端及び下部固定板４４の下端には、上部ブラケット３４及び下部ブラケット３６に当接する当接部４２ｂ，４４ｂが水平方向に突出している。そして、下部伝達部材３０は、下部ブラケット３６の両端を柱２２に固定された下部固定板４４の当接部４４ｂに載置した後、当接部４４ｂに固定される。
【００２８】
ここで、上部ブラケット３４及び下部ブラケット３６の構成について説明する。尚、上部ブラケット３４と下部ブラケット３６とは、同一形状であるので、以下、下部ブラケット３６について説明する。
【００２９】
図５は下部ブラケット３６の背面図である。図６は下部ブラケット３６の平面図である。図７は下部ブラケット３６の正面図である。
【００３０】
図５乃至図７に示されるように、下部ブラケット３６は、水平方向に延在する取付板４６と、取付板４６の両端に連結される固定部材４８，５０とから構成されている。
【００３１】
取付板４６は、断面形状がＬ字状に形成されており、固定部材４８，５０に載置される底板（水平支持部）４６ａと、底板４６ａより垂立した垂直板（垂直支持部）４６ｂとを有する。垂直板４６ｂには、固定部材４８，５０と連結される一対のボルト挿通孔４６ｃと、下部伝達部材３０に釘またはボルト等の締結部材を挿通するための小孔４６ｄが多数設けられている。
【００３２】
図８は図６中のＣ部を拡大して示す平面図である。図９は図６中のＤ部を拡大して示す正面図である。
【００３３】
図８及び図９に示されるように、固定部材４８，５０は、底板４６ａが載置される底部４８ａ，５０ａと、柱２２の側面に対向するように底部４８ａ，５０ａより垂直方向に曲げられた側部（固定部）４８ｂ，５０ｂと、底部４８ａ，５０ａ及び側部４８ｂ，５０ｂより起立するように設けられた垂直部４８ｃ，５０ｃとを有する。
【００３４】
垂直部４８ｃ，５０ｃには、前述した取付板４６の両端に連結されるボルト５２を挿通するための長孔４８ｄ，５０ｄが設けられている。この長孔４８ｄ，５０ｄは、柱２２の間隔に応じて固定部材４８，５０の水平方向の位置を調整することができるように水平方向に延在するように形成されている。
【００３５】
ここで、上記構成とされた制振装置１０の取付方法の手順について説明する。作業手順▲１▼では、まず、制振装置１０を既存の構造物の壁面内部に設置する前段階として、柱２２間の水平距離（幅寸法Ｌａ）及び床板１６から天井板２０までの垂直距離（高さ寸法Ｌｂ）を測定する。制振装置１０を製作する工場では、この幅寸法Ｌａ及び高さ寸法Ｌｂに基づいて制振装置１０の各部材の寸法を決めて製造し、上部伝達部材２８、下部伝達部材３０、油圧ダンパ３２を組み立てる。
【００３６】
作業手順▲２▼では、図１０に示されるように、制振装置１０を設置する場所の壁面を除去する。そして、上部固定板４２を柱２２の上部側面に釘またはボルト等の締結部材を用いて固定し、下部固定板４４を柱２２の下部側面にボルト等の締結部材を用いて固定する。
【００３７】
上部固定板４２は、当接部４２ｂの高さ位置が天井板２０よりも下方に位置するように取り付けられる。下部固定板４４は、当接部４４ｂの高さ位置が床板１６よりも上方に位置するように取り付けられる。そのため、制振装置１０を取り付けるために、天井板２０や床板１６を剥がす必要がなく、その分設置作業に手間がかからず、短時間での設置が可能になる。
【００３８】
作業手順▲３▼では、図１１に示されるように、ボルト等の締結部材を用いて上部固定板４２に上部ブラケット３４を固定し、ボルト等の締結部材を用いて下部固定板４４に下部ブラケット３６を固定する。この際、上部ブラケット３４の取付位置は、上部固定板４２の当接部４２ａによって決まる。また、下部ブラケット３６の取付位置は、下部固定板４４の当接部４４ａによって決まる。
【００３９】
作業手順▲４▼では、図１２に示されるように、制振装置１０の下部伝達部材３０を下部ブラケット３６の取付板４６に載置した状態で下部伝達部材３０の下部を取付板４６にボルト等の締結部材を用いて固定する。この際、下部伝達部材３０は、下部ブラケット３６の取付位置によって床板１６よりも上方に位置するように取り付けられる。
【００４０】
続いて、上部伝達部材２８の上部を上部ブラケット３４にボルト等の締結部材を用いて固定する。この際、上部伝達部材２８は、上部ブラケット３４の取付位置によって天井板２０よりも下方に位置するように取り付けられる。
【００４１】
作業手順▲４▼では、上記のように設置された制振装置１０を覆うように柱２２間に壁パネル（図示せず）を取り付ける。このように、制振装置１０を設置した後は、柱２２間に壁パネルを取り付けるだけなので、新しい天井板２０や床板１６を取り付ける必要がなく、その分設置作業に手間がかからず、短時間での設置が可能になると共に、設置コストも安価に抑えられる。
【００４２】
しかも、当該住宅が古い場合でも、制振装置１０が設置された柱２２間の壁パネルのみが新しくなるため、当該壁パネルの前に壁パネルと同じ大きさのタンスや本棚などの家具を置くことにより隠すことができるので、周囲との違和感を無くすことが可能になる。これで、制振装置１０の取付作業が終了する。
【００４３】
ここで、変形例について図１３を参照して説明する。
図１３に示されるように、変形例の下部固定板４４は、下方に延在する高さ位置規制部５２を有する。この高さ位置規制部５２は、下梁１４に対する下部固定板４４の取り付け高さ位置を合わせるものであり、下端が下梁１４に当接することにより、下部固定板４４の高さ方向の取付位置を規定する。
【００４４】
すなわち、下部固定板４４は、高さ位置規制部５２を下梁１４に当接させることにより、当接部４４ｂの高さ位置が床板１６よりも上方に位置するように取り付けられる。
【００４５】
また、変形例の上部固定板４２は、上方に延在する高さ位置規制部５２を有する。この高さ位置規制部５２は、上梁１８に対する上部固定板４２の取り付け高さ位置を合わせるものであり、上端が上梁１８に当接することにより、上部固定板４２の高さ方向の取付位置を規定する。
【００４６】
すなわち、上部固定板４２は、高さ位置規制部５２を上梁１８に当接させることにより、当接部４２ｂの高さ位置が天井板２０よりも下方に位置するように取り付けられる。
【００４７】
これにより、当接部４２ｂ，４４ｂに固定される上部ブラケット３４及び下部ブラケット３６は、高さ方向の取付位置が容易に位置合わせされると共に、上部ブラケット３４及び下部ブラケット３６が傾斜して取り付けられることを防止できる。そして、上部ブラケット３４に固定される上部伝達部材２８及び下部ブラケット３６に固定される下部伝達部材３０は、高さ方向の取付位置を容易に位置合わせされる。
【００４８】
尚、上記実施の形態では、天井板２０と床板１６との間に制振装置１０を取り付けた場合を一例として挙げたが、これに限らず、本発明における上梁１８から離間した柱２２間の取付部分及び下梁１４から離間した柱２２間の取付部分として、例えば夫々住宅内部の鴨居と敷居を用いても構わない。この場合、地震が発生する可能性が大きい場合に発せられる地震警報発生後にふすまを外して、その代わりに上記制振装置１０を鴨居と敷居との間に設置することで、住宅の耐震性を向上させて、地震の発生に備えることができる。
【００４９】
また、上記実施の形態では、天井板２０と床板１６との間に制振装置１０を取り付けた場合を一例として挙げたが、これに限らず、住人が所有するタンスや本棚等の家具の高さに合わせて、本発明における上梁から離間した柱間の部分及び下梁から離間した部分に制振装置１０を設置するようにしても良い。
【００５０】
尚、上記実施の形態では、既存の木造住宅に制振装置１０を取り付ける場合を一例として挙げたが、これに限らず、木造以外の住宅、例えば、軽量鉄骨を用いた住宅などにも適用できるのは勿論である。
【００５１】
【発明の効果】
以上説明したように、請求項１の発明によれば、構造物の柱間に設けられ、柱の上方の傾動を伝達する上部伝達部材と、構造物の柱間に設けられ、柱の下方の傾動を伝達する下部伝達部材と、上部伝達部材と下部伝達部材との間に設けられ、上部伝達部材と下部伝達部材との相対変位を緩衝するダンパと、構造物の上梁から離間した柱間に横架され、上部伝達部材を柱の上部側面に取り付ける上部取付部材と、構造物の下梁から離間した柱間に横架され、下部伝達部材を柱の下部側面に取り付ける下部取付部材と、を備えたため、床板及び天井板を剥がすことなく壁内にダンパを取り付けることができる。そのため、設置作業を短時間で行えると共に、設置コストも安価に抑えられる。また、設置後に新しい床板及び天井板を取り付ける作業が不要になる。
【００５２】
上記請求項２の発明によれば、上部取付部材及び下部取付部材の、両端部を柱の側面に沿うように延在形成された固定板に固定したため、工場などで上部伝達部材、下部伝達部材、ダンパが組み付けられた組立体を容易に取り付けることが可能になり、取付作業に要する時間を短縮する。
【００５３】
上記請求項３の発明によれば、上部取付部材が、上部伝達部材の上端に沿うように柱間に横架される水平支持部と、柱間に横架され、水平支持部に沿って延在し、上部伝達部材の上端に結合される垂直支持部と、水平支持部の両端より柱の側面に沿うように延在され、柱の側面に固定される固定部と、を備えたため、上部伝達部材を柱の上部側面に固定することができる。
【００５４】
上記請求項４の発明によれば、下部取付部材が、下部伝達部材の下端に沿うように柱間に横架される水平支持部と、柱間に横架され、水平支持部に沿って延在し、下部伝達部材の下端に結合される垂直支持部と、水平支持部の両端より柱の側面に沿うように延在され、柱の側面に固定される固定部と、を備えたため、下部伝達部材を柱の下部側面に固定することができる。
【００５５】
上記請求項５の発明によれば、取付部材が、水平支持部から前記梁側に突出して梁に当接する高さ位置規制部を有するものであり、取付部材を下梁よりも所定距離上方に位置し、上梁よりも所定距離下方に位置するように位置合わせすることができる。
【００５６】
上記請求項６の発明によれば、請求項１記載の制振装置の取付方法において、柱間の内部空間を塞ぐ内壁面を除去する第１の過程と、柱の側面に沿うように延在形成された固定板を固定する第２の過程と、制振装置を内部空間に挿入し、上部取付部材及び下部取付部材を固定板に固定する第３の過程と、柱間の内部空間を閉塞する壁板を柱に固定する第４の過程と、を実行するため、床板及び天井板を剥がすことなく壁内にダンパを取り付けることができる。そのため、設置作業を短時間で行えると共に、設置コストも安価に抑えられる。また、設置後に新しい床板及び天井板を取り付ける作業が不要になる。
【図面の簡単な説明】
【図１】本発明になる制振装置の一実施例の取り付け状態を示す斜視図である。
【図２】図１に示す制振装置の正面図である。
【図３】図２中Ａ−Ａ線に沿う縦断面図である。
【図４】図２中Ｂ−Ｂ線に沿う横断面図である。
【図５】下部ブラケット３６の背面図である。
【図６】下部ブラケット３６の平面図である。
【図７】下部ブラケット３６の正面図である。
【図８】図６中のＣ部を拡大して示す平面図である。
【図９】図６中のＤ部を拡大して示す正面図である。
【図１０】作業手順▲２▼を説明するための工程図である。
【図１１】作業手順▲３▼を説明するための工程図である。
【図１２】作業手順▲４▼を説明するための工程図である。
【図１３】変形例を説明するための図である。
【符号の説明】
１０  制振装置
１２  基礎
１４  下梁
１６  床板
１８  上梁
２０  天井板
２２  柱
２７  空間
２８  上部伝達部材
３０  下部伝達部材
３２  油圧ダンパ
３４  上部ブラケット
３６  下部ブラケット
３８，４０  ダンパ用ブラケット
４２  上部固定板
４４  下部固定板
４６  取付板
４８，５０  固定部材
５２  高さ位置規制部
【図１】
2004218226.tif 000003
【図２】
2004218226.tif 000004
【図３】
2004218226.tif 000005
【図４】
2004218226.tif 000006
【図５】
2004218226.tif 000007
【図６】
2004218226.tif 000008
【図７】
2004218226.tif 000009
【図８】
2004218226.tif 000010
【図９】
2004218226.tif 000011
【図１０】
2004218226.tif 000012
【図１１】
2004218226.tif 000013
【図１２】
2004218226.tif 000014
【図１３】
2004218226.tif 000015